(57)【特許請求の範囲】
【請求項１】
立体視用視標を備えた視標板を含む各々光が透過可能な複数の視標板が円形に配置された回転板と、
前記回転板の各視標に照明光を照射する照明手段と、
前記照明手段により照明された視標からの光束を被検眼の視認可能な位置に結像させる凹面鏡を含む視標光学系と、
前記回転板を回転駆動して、前記回転板における各視標を被検眼に提示するための駆動モータと、
を有し、
前記立体視用視標を備えた前記視標板は、各々に位置を異ならせた複数個の立体視マークを有し、立体視マークが付された複数枚の同一形状の透明板を重合することにより前記複数個の立体視マークが被検眼による視差が異なるように視認される構成とされ、かつ前記視標板は前記回転板の片面に配置されている、
ことを特徴とする視力表提示装置。
【発明の詳細な説明】
【０００１】
【発明の属する技術分野】
本発明は、視力表提示装置及び立体視用視標板に関し、より詳しくは、偏光眼鏡等を使用すること無く視標の立体視を可能とする視力表提示装置及び立体視用視標板に関する。
【０００２】
【従来の技術】
従来の視力表提示装置を使用して被検眼の立体視テストを行う場合の多くは、偏光が利用され、視標として、平板状の視標板の光透過部分に偏光フィルターを貼って作成した偏光視標を用いるとともに、被検者には偏光眼鏡を装用させて２種の視標を左右眼個々に提示する必要があった。
【０００３】
【発明が解決しようとする課題】
しかしながら、上述した従来の視力表提示装置の場合、偏光視標は視標板に偏光フィルターを貼って作成したものであるため、被検眼の立体視テストは一定の視差による検査しか実行できなかった。
【０００４】
また、被検者にとっては、自己の眼に偏光眼鏡を装用しなければならず、極めて煩雑であった。
【０００５】
本発明は、上記事情に鑑みてなされたものであり、被検眼の立体視テストを偏光フィルターを用いることなく行うことができるとともに、被検者も、自己の眼に偏光眼鏡を装用する必要がなく、極めて実用性の高い視力表提示装置を提供することを目的とする。
【０００６】
また、本発明は、偏光眼鏡等を使用することなく極めて簡略に被検眼の立体視テストを行うことができる立体視用視標板を提供することを目的とする。
【０００７】
【課題を解決するための手段】
本発明に係る視力表提示装置は、立体視用視標を備えた視標板を含む各々光が透過可能な複数の視標板が円形に配置された回転板と、前記回転板の各視標に照明光を照射する照明手段と、前記照明手段により照明された視標からの光束を被検眼の視認可能な位置に結像させる凹面鏡を含む視標光学系と、前記回転板を回転駆動して、前記回転板における各視標を被検眼に提示するための駆動モータと、を有し、前記立体視用視標を備えた前記視標板は、各々に位置を異ならせた複数個の立体視マークを有し、立体視マークが付された複数枚の同一形状の透明板を重合することにより前記複数個の立体視マークが被検眼による視差が異なるように視認される構成とされ、かつ前記視標板は前記回転板の片面に配置されていることを特徴とするものである。
【０００９】
本発明に係る視力表提示装置によれば、視標光学系により、被検眼による視差が異なる複数個の立体視マークからなる立体視用視標の像が被検眼の視認可能な位置に結像するので、被検眼は、前記立体視用視標の複数個の立体視マークの像を異なる視差で、即ち、奥行き感を有する状態で視認でき、これにより、偏光眼鏡等を使用することなく極めて簡略に被検眼の立体視テストを行うことができる。
【００１０】
また、本発明に係る立体視用視標板は、被検眼による視差が異なる複数個の立体視マークからなるので、検者がこの立体視用視標板を手に持って被検眼に視認させることで、被検眼は、前記立体視用視標の複数個の立体視マークの像を異なる視差で、即ち、奥行き感を有する状態で視認でき、これにより、偏光眼鏡等を使用することなく極めて簡略に被検眼の立体視テストを行うことができる。
【００１１】
【発明の実施の形態】
以下に、本発明の実施の形態を詳細に説明する。
【００１２】
（実施の形態１）
図１乃至図３は、本発明の実施の形態１の視力表提示装置を示すものであり、図１は実施の形態１の視力表提示装置の斜視図、図２は実施の形態１の視力表提示装置の正面図、図３は実施の形態１の視力表提示装置の断面図を各々示すものである。
【００１３】
図１乃至図３に示す実施の形態１の視力表提示装置は、直方体状で、一方の端面に四角形状の視認用の開口部２を設けた装置本体１と、この装置本体１の内部に配置した立体視用視標５を備えた視標板４と、前記立体視用視標５の像を被検眼の視認可能な位置に、即ち、被検眼が前記開口部２を覗くことにより視認できる位置に結像する視標光学系６とを具備している。
【００１４】
前記視標光学系６は、図１、図３に示すように、前記視標板４の立体視用視標５からの光束を透過する光軸方向に対して４５度傾斜して配置したハーフミラー７と、ハーフミラー７を透過した光束を平行な光束として反射する凹面鏡８とを具備し、凹面鏡８から発散した光束をハーフミラー７を介して被検眼Ｅに向けて反射し、これにより、前記視標板４の立体視用視標５の像を例えば被検眼Ｅから５ｍの距離に虚像として結像するようになっている。
【００１５】
次に、前記視標板４及び立体視用視標５について、図４乃至図９を参照して詳述する。
【００１６】
この視標板４は、円板状の同一形状で厚さ１ｍｍ乃至数ｍｍ程度に形成された第１乃至第３の透明板（ガラス板）１１、１２、１３を具備し、これらを図９に示すように貼り合わせた構成となっている。
【００１７】
第１の透明板１１には、図４に示すように同図において左上部に環状のマークからなる第１の立体視マーク１１ａが設けられている。
【００１８】
第２の透明板１２には、図６に示すように同図において中央部に付した直線部１４と、直線部１４の上部右側に付した２個の環状のマークと、直線部１４の下部左側に付した２個の×印のマークとからなる第２の立体視マーク１２ａが設けられている。
【００１９】
第３の透明板１３には、図７に示すように同図において右下部に×印のマークからなる第３の立体視マーク１３ａが設けられている。
【００２０】
そして、第１乃至第３の透明板１１、１２、１３を図９に示すように貼り合わせ、第１乃至第３の立体視マーク１１ａ乃至１３ａを重合することで、図８に示すように、直線部１４の上下に各々３個の環状のマーク及び×印のマークが表出する立体視用視標５を有する視標板４を構成している。
【００２１】
この視標板４の立体視用視標５は、第１、第２の透明板１１、１２の厚さにより、第１の立体視マーク１１ａと第２の立体視マーク１２ａと第３の立体視マーク１３ａに対する被検眼による視差が異なるように、即ち、被検眼Ｅに奥行き感をもって認識させるようになっている。
【００２２】
この場合、前記第１、第２の透明板１１、１２の厚さを種々に変えたり、前記第１乃至第３の透明板１１乃至１３の屈折率を種々に変えることで、第１の立体視マーク１１ａと第２の立体視マーク１２ａと第３の立体視マーク１３ａとの被検眼Ｅによる視差を種々に変えることができる。
【００２３】
上述した構成の視力表提示装置によれば、被検眼Ｅが前記開口部２を覗くことで、視差が異なる第１乃至第３の立体視マーク１１ａ乃至１３ａからなる立体視用視標５の像を視認でき、これにより、偏光眼鏡等を使用することなく極めて簡略に被検眼Ｅの立体視テストを行うことができ、立体視テストの簡略化、被検者の煩雑さの回避を実現できる。
【００２４】
尚、上述した視標板４の立体視用視標５をスクリーンに投影するようにした場合には、スクリーンが平面であるため、第１の立体視マーク１１ａ、第２の立体視マーク１２ａ、第３の立体視マーク１３ａのうちのいずれか二つの像がぼけてしまうが、本実施の形態の場合には、第１の立体視マーク１１ａ、第２の立体視マーク１２ａ、第３の立体視マーク１３ａの像が虚像として結像するので、スクリーン投影式の場合と異なり、これらの像がぼけることはない。
【００２５】
（実施の形態２）
次に、図１０乃至図１２を参照して本発明の実施の形態２について説明する。
【００２６】
図１０は実施の形態２の視力表提示装置の断面図、図１１は実施の形態２の視力表提示装置に使用する前記視標板４を含む回転板２１の平面図、図１２は実施の形態２の視力表提示装置に使用する前記回転板２１における視標板４を示す側面図である。
【００２７】
実施の形態２の視力表提示装置は、装置本体２０内に、視標板４の立体視用視標５を含む検眼用の種々の視標を円形配置に、かつ、各々光が透過可能に配置し、駆動モータ３０により回転駆動される回転板２１と、この回転板２１における各視標に照明光を照射する照明系２２と、前記回転板２１の立体視用視標５を含む各視標の視標像を被検眼Ｅの視認可能な位置に結像する視標光学系２３とを有している。
【００２８】
照明系２２は、光源ランプ２５と、反射鏡２６と、集光レンズ系２７と、フィルタ２８とを具備し、光源ランプ２５からの光を反射鏡２６で反射し、集光レンズ系２７、フィルタ２８を介して回転板２１の立体視用視標５を含む各視標の照明を行うようになっている。
【００２９】
前記視標光学系２３は、反射ミラー３１と、実施の形態１の視力表提示装置の場合と同様なハーフミラー７、凹面鏡８を具備し、前記照明系２２により照明される各視標からの光束を反射ミラー３１により反射し、ハーフミラー７、凹面鏡８の作用で被検眼Ｅに向けて射出することで、前記立体視用視標５を含む各種の視標の像を例えば被検眼Ｅから５ｍの距離に虚像として結像するようになっている。
【００３０】
尚、２０ａは装置本体２０に設けた被検眼Ｅ用の開口部である。
【００３１】
また、前記回転板２１には、図１１に示すように、視標板４の立体視用視標５の他に、ひらがな視標群４１、ランドルト環視標群４２、偏光テスト用視標群４３、レッドグリーンテスト用視標群４４、乱視テスト用視標群４５等が設けられている。
【００３２】
この視力表提示装置によれば、立体視用視標５を含む検眼用の種々の視標を、回転駆動される回転板２１に円形に配置し、照明系２２により回転板２１における各視標に照明光を照射して、視標光学系２３により前記各視標の視標像を被検眼Ｅの視認可能な位置に結像するようにしたので、被検眼Ｅは、前記立体視用視標５の各立体視マーク１１ａ乃至１３ａの像を異なる視差で、即ち、奥行き感を有する状態で視認でき、これにより、偏光眼鏡等を使用することなく極めて簡略に被検眼の立体視テストを行うことができる。また、視力表提示装置によれば、立体視用視標５の他に検眼用の種々の視標の像を被検眼Ｅに提示することができるので、被検眼Ｅの視力テストや乱視テスト等種々の検眼に伴うテストを行うことができる。
【００３３】
（実施の形態３）
次に、図１３、図１４を参照して本発明の実施の形態３について説明する。
【００３４】
本発明の実施の形態３においては、前記立体視用視標５を設けた視標板４に、図１３、図１４に示すような取手部５１を付加して立体視用視標板５０とし、立体視用視標板５０を手持ち可能に構成して、被検眼Ｅに提示することができるようにしたものである。
【００３５】
実施の形態３によれば、検者がこの立体視用視標板５０を手に持って被検眼Ｅに立体視用視標５を視認させることで、被検眼Ｅは、前記立体視用視標５の立体視マークの像を異なる視差で、即ち、奥行き感を有する状態で視認でき、これにより、偏光眼鏡等を使用することなく極めて簡略に被検眼Ｅの立体視テストを行うことができる。
【００３６】
【発明の効果】
本発明によれば、被検眼は、立体視用視標の複数個の立体視マークの像を異なる視差で、即ち、奥行き感を有する状態で視認でき、これにより、偏光眼鏡等を使用することなく極めて簡略に被検眼の立体視テストを行うことができる視力表提示装置を提供することができる。
【００３７】
また、偏光眼鏡等を使用することなく極めて簡略に被検眼の立体視テストを行うことができる立体視用視標板を提供することができる。
【図面の簡単な説明】
【図１】実施の形態１の視力表提示装置の斜視図である。
【図２】実施の形態１の視力表提示装置の正面図である。
【図３】実施の形態１の視力表提示装置の断面図である。
【図４】実施の形態１の第１の透明板を示す正面図である。
【図５】実施の形態１の第１の透明板を示す側面図である。
【図６】実施の形態１の第２の透明板を示す正面図である。
【図７】実施の形態１の第３の透明板を示す正面図である。
【図８】実施の形態１の視標板を示す正面図である。
【図９】実施の形態１の視標板を示す側面図である。
【図１０】実施の形態２の視力表提示装置の断面図である。
【図１１】実施の形態２の視力表提示装置に使用する視標板を含む回転板の平面図である。
【図１２】実施の形態２の視力表提示装置に使用する回転板における視標板を示す側面図である。
【図１３】実施の形態３の立体視用視標板を示す正面図である。
【図１４】実施の形態３の立体視用視標板を示す正面図である。
【符号の説明】
１  装置本体
２  開口部
４  視標板
５  立体視用視標
６  視標光学系
７  ハーフミラー
８  凹面鏡
１１  第１の透明板
１１ａ  第１の立体視マーク
１２  第２の透明板
１２ａ  第２の立体視マーク
１３  第３の透明板
１３ａ  第３の立体視マーク
２０  装置本体
２１  回転板
２２  照明系
２３  視標光学系
５０  立体視用視標板
【図１】
0003689489.tif 000002
【図２】
0003689489.tif 000003
【図３】
0003689489.tif 000004
【図４】
0003689489.tif 000005
【図５】
0003689489.tif 000006
【図６】
0003689489.tif 000007
【図７】
0003689489.tif 000008
【図８】
0003689489.tif 000009
【図９】
0003689489.tif 000010
【図１０】
0003689489.tif 000011
【図１１】
0003689489.tif 000012
【図１２】
0003689489.tif 000013
【図１３】
0003689489.tif 000014
【図１４】
0003689489.tif 000015